(57)【要約】【課題】しわや折り返しが発生するおそれを抑制しながら切断されたウェブを巻取管に安定して貼り付けることが可能なウェブ巻取装置を提供する。【解決手段】巻取装置１は、交換領域Ｐ１にある巻取管２１、２２に巻き取られていくウェブＷを切断して、巻取領域Ｐ２にある巻取管２１、２２に切断後のウェブを巻き取らせる。巻取装置は、交換領域にある巻取管に巻き取られていくウェブを切断する切断手段３１、及び、切断手段によって切断されたウェブにエアーを吹き付ける吹付手段３２を有する切断ユニット３０と、当該切断ユニットを交換領域にある巻取管に巻き取られていくウェブに対して接離させる駆動ユニット５０と、を備える。吹付手段は、切断手段によって切断されたウェブにエアーを吹き付け、当該切断されたウェブを巻取領域にある巻取管に近づけるようになっている。【選択図】図１
2015151226.tif 000002
【特許請求の範囲】
【請求項１】
交換領域にある巻取管に巻き取られていくウェブを切断して、巻取領域にある巻取管に切断後のウェブを巻き取らせるウェブ巻取装置において、
交換領域にある巻取管に巻き取られていくウェブを切断する切断手段、及び、前記切断手段によって切断されたウェブにエアーを吹き付ける吹付手段を有する切断ユニットと、
前記切断ユニットを前記交換領域にある巻取管に巻き取られていくウェブに対して接離させる駆動ユニットと、を備え、
前記駆動ユニットによって前記切断ユニットを前記交換領域にある巻取管に巻き取られていくウェブに接近させて、前記切断ユニットの前記切断手段で前記ウェブを切断するようになっており、
前記吹付手段は、前記切断手段によって切断されたウェブにエアーを吹き付け、当該切断されたウェブを前記巻取領域にある前記巻取管に近づけるようになっている、ウェブ巻取装置。
【請求項２】
前記吹付手段は、前記切断手段がウェブを切断する位置よりも、前記ウェブの搬送方向における上流側にて前記ウェブにエアーを吹き付けるようになっている、請求項１に記載のウェブ巻取装置。
【請求項３】
前記吹付手段から放出されるエアーの放出方向は、前記切断手段が前記本体部から延び出す方向側を向いている、請求項１または２に記載のウェブ巻取装置。
【請求項４】
前記吹付手段は、前記切断されたウェブに吹き付けるエアーを、前記巻取領域にある巻取管に向けて放出するようになっている、請求項１乃至３のいずれか一項に記載のウェブ巻取装置。
【請求項５】
前記切断ユニットは、前記切断手段が固定された本体部を有し、
前記本体部には、前記ウェブにエアーを吹き付ける吹付口と、前記吹付口にエアーを供給する流路と、が形成されている、請求項１乃至４のいずれか一項に記載のウェブ巻取装置。
【請求項６】
ウェブの幅方向に並べられた複数の吹付口が、前記本体部に形成されている、請求項５に記載のウェブ巻取装置。
【請求項７】
前記駆動ユニットは、ウェブの幅方向に延び前記本体部を回動自在に支持する支点軸と、前記支点軸を回動させる駆動要素と、を有している、請求項５または６に記載のウェブ巻取装置。
【発明の詳細な説明】
【技術分野】
【０００１】
本発明は、交換領域にある巻取管に巻き取られていくウェブを切断して、巻取領域にある巻取管に切断後のウェブを巻き取らせるウェブ巻取装置に関する。
【背景技術】
【０００２】
例えば特許文献１には、連続的に搬送されるウェブを停止させることなく一対の巻取管の切換を行うことが可能な２軸ターレット式のウェブ巻取装置が示されている。図８乃至図１０に、特許文献１に記載の２軸ターレット式のウェブ巻取装置を示す。図８乃至図１０に示すウェブ巻取装置１００は、ウェブＷを巻き取るための一対の巻取管１２１、１２２を、交換領域Ｐ１と巻取領域Ｐ２との間で入れ換えるためのものである。図８に示すように、ウェブ巻取装置１００は、対応する巻取管１２１、１２２を先端側で回転自在に支持する一対の回動アーム１１３、１１４と、一対の回動アーム１１３、１１４の長手軸と直交する方向に延び、サポートロール１１７、１１８を保持する一対のサポートアーム１１５、１１６と、を備えている。一対の回動アーム１１３、１１４及び一対のサポートアーム１１５、１１６は、各々の基端側で回動シャフト１１２に回動自在に支持されており、これらは、回動シャフト１１２を中心として一体として回動する。
【０００３】
また、図８に示すウェブ巻取装置１００は、連続して搬送されるウェブＷを切断する切断刃１３１を有する切断ユニット１３０と、当該切断ユニット１３０を、連続して搬送されるウェブＷに対して相対移動させる駆動ユニット１５０と、をさらに備えている。このうち、切断ユニット１３０は、切断刃１３１を保持する本体部１３３と、本体部１３３の切断刃１３１の側方となる位置に取り付けられ、切断されたウェブＷを巻取領域Ｐ２にある巻取管に押え付けるためのブラシ１３２と、をさらに有している。一方、駆動ユニット１５０は、切断ユニット１３０の本体部１３３を回動自在に支持する支点軸１５１と、支点軸１５１を支持するとともに、当該支点軸１５１の前記ウェブＷに対する距離を変更可能な取付アーム１５３と、を有している。
【０００４】
図８に示す巻取領域Ｐ２にある巻取管１２１が所定量のウェブＷを巻取ると、図９に示すように、回動シャフト１１２が回動し、一対の回動アーム１１３、１１４並びに一対のサポートアーム１１５、１１６が一体として回動する。続いて、回動シャフト１１２の回動により、一対の巻取管１２１、１２２が交換領域Ｐ１と巻取領域Ｐ２との間で入れ換えられると、
駆動ユニット１５０の取付アーム１５３がスライドして、切断ユニット１３０が交換領域Ｐ１にある巻取管１２１に巻き取られていくウェブＷに接近する。取付アーム１５３と共に切断ユニット１３０がウェブＷに接近すると、取付アーム１５３に保持されたガイドロール１５４と一方のサポートロール１１７とを利用してウェブＷが張架される。
【０００５】
次に、図１０に示すように、切断ユニット１３０の本体部１３３が支点軸１５１を中心としてウェブＷに接近するように回動し、切断刃１３１によって張力を付与された状態のウェブＷが幅方向に切断される。続いて、切断ユニット１３０の本体部１３３がさらに支点軸１５１を中心として回動し、切断されたウェブＷが本体部１３３に固定されたブラシ１３２によって巻取領域Ｐ２にある巻取管１２２に貼り付けられる。
【先行技術文献】
【特許文献】
【０００６】
【特許文献１】特開２００８−２５４９２０号公報
【発明の概要】
【発明が解決しようとする課題】
【０００７】
しかしながら、図８乃至図１０に示すウェブ巻取装置１００では、切断刃１３１によってウェブＷが切断されてから、本体部１３３に固定されたブラシ１３２が切断されたウェブＷを巻取管１２２に貼り付けるまでの間に、遅延時間（時間のズレ）がある。このため、張力を付与された状態で切断されたウェブＷの端部が勢いよく反発して、巻取管１２２に貼り付いた際にしわや折り返しが発生してしまう。とりわけ、生産効率を高めるために搬送速度を速めると、切断されたウェブＷの端部がさらに勢いよく反発して、しわや折り返しが発生するおそれが高まる。
【０００８】
本発明は、このような点を考慮してなされたものであり、しわや折り返しが発生するおそれを抑制しながら切断されたウェブを巻取管に安定して貼り付けることが可能なウェブ巻取装置を提供することを目的とする。
【課題を解決するための手段】
【０００９】
本発明によるウェブ巻取装置は、交換領域にある巻取管に巻き取られていくウェブを切断して、巻取領域にある巻取管に切断後のウェブを巻き取らせるウェブ巻取装置であって、
交換領域にある巻取管に巻き取られていくウェブを切断する切断手段、及び、前記切断手段によって切断されたウェブにエアーを吹き付ける吹付手段を有する切断ユニットと、
前記切断ユニットを前記交換領域にある巻取管に巻き取られていくウェブに対して接離させる駆動ユニットと、を備え、
前記駆動ユニットによって前記切断ユニットを前記交換領域にある巻取管に巻き取られていくウェブに接近させて、前記切断ユニットの前記切断手段で前記ウェブを切断するようになっており、
前記吹付手段は、前記切断手段によって切断されたウェブにエアーを吹き付け、当該切断されたウェブを前記巻取領域にある前記巻取管に近づけるようになっている。
【００１０】
本発明によるウェブ巻取装置において、前記吹付手段は、前記切断手段がウェブを切断する位置よりも、前記ウェブの搬送方向における上流側にて前記ウェブにエアーを吹き付けるようになっていてもよい。
【００１１】
本発明によるウェブ巻取装置において、前記吹付手段から放出されるエアーの放出方向は、前記切断手段が前記本体部から延び出す方向側を向いていてもよい。
【００１２】
本発明によるウェブ巻取装置において、前記吹付手段は、前記切断されたウェブに吹き付けるエアーを、前記巻取領域にある巻取管に向けて放出するようになっていてもよい。
【００１３】
本発明によるウェブ巻取装置において、前記切断ユニットは、前記切断手段が固定された本体部を有し、
前記本体部には、前記ウェブにエアーを吹き付ける吹付口と、前記吹付口にエアーを供給する流路と、が形成されていてもよい。
【００１４】
本発明によるウェブ巻取装置において、ウェブの幅方向に並べられた複数の吹付口が、前記本体部に形成されていてもよい。
【００１５】
本発明によるウェブ巻取装置において、前記駆動ユニットは、ウェブの幅方向に延び前記本体部を回動自在に支持する支点軸と、前記支点軸を回動させる駆動要素と、を有していてもよい。
【発明の効果】
【００１６】
本発明によれば、張力を付与された状態のウェブが切断されたときから、吹付手段からウェブにエアーが吹き付けられ続ける。このため、切断されたウェブの端部が張力の解放により勢いよく反発したとしても、吹き付けられるエアーによって反発の勢いが抑えられ、当該ウェブの端部を巻取領域にある巻取管に安定して貼り付けることができる。これにより、巻き取られるウェブにしわや折り返しが発生してしまうことを効果的に抑制することができる。
【図面の簡単な説明】
【００１７】
【図１】本発明の一実施の形態におけるウェブ巻取装置を示す概略側面図である。
【図２】図１のウェブ巻取装置の切断ユニットを拡大して示す概略斜視図である。
【図３】図２に示す線III−IIIに沿った切断ユニットの断面を示す概略断面図である。
【図４】図１に示すウェブ巻取装置による巻取管入れ換え動作を説明するための図であって、回動シャフトを回動させた状態を示す概略側面図である。
【図５】図１に示すウェブ巻取装置による巻取管入れ換え動作を説明するための図であって、巻取管を交換領域まで回動させた状態を示す概略側面図である。
【図６】図１に示すウェブ巻取装置による巻取管入れ換え動作を説明するための図であって、切断ユニットをウェブに近づけるようにスライドさせた状態を示す概略側面図である。
【図７】図１に示すウェブ巻取装置による巻取管入れ換え動作を説明するための図であって、ウェブを切断した状態を示す概略側面図である。
【図８】特許文献１に記載のウェブ巻取装置の構成の一例を示す概略側面図である。
【図９】図８に示すウェブ巻取装置による巻取管入れ換え動作を説明するための図であって、巻取管を交換領域まで回動させ、切断ユニットをウェブに近づけるようにスライドさせた状態を示す概略側面図である。
【図１０】図１０に示すウェブ巻取装置による巻取管入れ換え動作を説明するための図であって、ウェブを切断した状態を示す概略側面図である。
【発明を実施するための形態】
【００１８】
以下、図面を参照して本発明の一実施の形態について説明する。なお、本件明細書に添付する図面においては、図示と理解のしやすさの便宜上、適宜縮尺および縦横の寸法比等を、実物のそれらから変更し誇張してある。図１乃至図７は本発明による一実施の形態を説明するための図である。このうち図１は、本発明の一実施の形態におけるウェブ巻取装置を示す概略側面図である。
【００１９】
図１に示すウェブ巻取装置１は、連続的に搬送されるウェブＷを停止させることなく一対の巻取管２１、２２の切換を行うことが可能な２軸ターレット式のウェブ巻取装置１である。このウェブ巻取装置１は、ウェブＷを巻き取るための一対の巻取管２１、２２を、交換領域Ｐ１と巻取領域Ｐ２との間で入れ換えるためのものである。具体的には、ウェブ巻取装置１は、交換領域Ｐ１にある巻取管２１、２２に巻き取られていくウェブＷを切断して、巻取領域Ｐ２にある巻取管２１、２２に切断後のウェブＷを巻き取らせる。このようなウェブ巻取装置１によれば、連続的に搬送されるウェブＷを停止させることなく巻取管２１、２２を入れ換えることができるため、高い生産性を発揮する。なお、巻取り対象となるウェブＷは、連続的に搬送されるシート状の部材であれば特に限定されない。ウェブＷの一例として、樹脂シート、紙、金属箔等が挙げられる。
【００２０】
図１に示すように、ウェブ巻取装置１は、一対の巻取管２１、２２を、交換領域Ｐ１と巻取領域Ｐ２との間で入れ換えるターレット１０を備えている。ターレット１０は、一方の巻取管２１を先端側で回転自在に支持する第１回動アーム１３と、他方の巻取管２２を先端側で回転自在に支持する第２回動アーム１４と、第１回動アーム１３及び第２回動アーム１４の長手軸と交差する方向に延びる第１サポートアーム１５及び第２サポートアーム１６と、を有している。第１サポートアーム１５は、先端側において、一対の巻取管２１、２２の入れ換えの際にウェブＷを案内するための第１サポートロール１７を保持しており、第２サポートアーム１６は、先端側において、一対の巻取管２１、２２の入れ換えの際にウェブＷを案内するための第２サポートロール１８を保持している。そして、第１回動アーム１３、第２回動アーム１４、第１サポートアーム１５及び第２サポートアーム１６は、各々の基端側で回動シャフト１２に回動自在に支持されており、これらは、回動シャフト１２を中心として一体として回動するようになっている。また、回動シャフト１２は、床面に固定された支柱１１に回動自在に支持されている。
【００２１】
図１に示すように、第１回動アーム１３と第２回動アーム１４とは、回動シャフト１２に対して互いに反対側に向かって延び出している。本実施の形態では、第１回動アーム１３と第２回動アーム１４とは、回動シャフト１２を中心として点対称に配置されている。第１回動アーム１３の先端において、一方の巻取管２１が例えばエアチャックによって保持され、ウェブＷを巻取るために回転自在となっている。同様に、第２回動アーム１４の先端において、他方の巻取管２２が例えばエアチャックによって保持され、ウェブＷを巻取るために回転自在となっている。なお、巻取領域Ｐ２にある巻取管２２には、切断されたウェブＷが貼り付けられるように、予め粘着テープが巻き付けられている。
【００２２】
同様に、第１サポートアーム１５と第２サポートアーム１６とは、回動シャフト１２に対して互いに反対側に向かって延び出している。本実施の形態では、第１サポートアーム１５と第２サポートアーム１６とは、回動シャフト１２を中心として点対称に配置されている。また、本実施の形態では、第１サポートアーム１５の長手軸は、第１回動アーム１３及び第２回動アーム１４の各々の長手軸に対して直交している。第１サポートアーム１５は、第１回動アーム１３に支持された巻取管２１から第２回動アーム１４に支持された巻取管２２に入れ換える際にウェブＷを案内するべく、第１回動アーム１３に対して、回動シャフト１２の回転方向と反対側に９０°ずれた位置に配置される。同様に、第２サポートアーム１６の長手軸は、第１回動アーム１３及び第２回動アーム１４の各々の長手軸に対して直交している。第２サポートアーム１６は、第２回動アーム１４に支持された巻取管２２から第１回動アーム１３に支持された巻取管２１に入れ換える際にウェブＷを案内するべく、第２回動アーム１４に対して、回動シャフト１２の回転方向と反対側に９０°ずれた位置に配置される。
【００２３】
図１に示す例では、回動シャフト１２は、紙面における時計回り方向Ｒ１に回動し、各巻取管２１、２２も、紙面における時計回り方向Ｒ２に回動する。この場合、第１サポートアーム１５は、第１回動アーム１３に対して反時計回りに９０°ずれた位置に配置され、第２サポートアーム１６は、第２回動アーム１４に対して反時計回りに９０°ずれた位置に配置される。
【００２４】
また、図１に示すように、ウェブ巻取装置１は、ターレット１０とは別個に設けられ、連続的に搬送されるウェブＷを切断する切断ユニット３０と、当該切断ユニット３０を連続的に搬送されるウェブＷに対して接離させる駆動ユニット５０と、を備えている。
【００２５】
図２に、切断ユニット３０を拡大して示す。図２に示すように、切断ユニット３０は、交換領域Ｐ１にある巻取管２１、２２に巻き取られていくウェブＷを切断する切断手段３１と、切断手段３１が固定された本体部４１と、本体部４１に設けられ、切断手段３１によって切断されたウェブＷにエアーを吹き付ける吹付手段３２と、を有している。このうち、切断手段３１は、ウェブＷを幅方向ｄ２に切断するようになっている。本実施の形態の切断手段３１は、本体部４１から延び出した薄板状の切断刃として構成されている。
【００２６】
切断ユニット３０の本体部４１は、切断手段３１が固定された第１面４２と、当該第１面４２に対して傾斜した第２面４３と、を含んでいる。この第２面４３は、後述するように、切断ユニット３０が交換領域Ｐ１にある巻取管２１、２２に巻き取られていくウェブＷに対して接近した切断位置Ｐ３において（図７参照）、ウェブＷを挟んで巻取領域Ｐ２にある巻取管２１、２２に対面するように、第１面４２に対して傾斜している。
【００２７】
図２に示すように、本体部４１の第２面４３に、ウェブＷにエアーを吹き付ける吹付口４４が形成されている。吹付口４４は、吹付手段３２の一部を構成する。本実施の形態では、複数の吹付口４４が、ウェブＷの幅方向ｄ２に並べられている。図示する例では、各吹付口４４は、円形に形成されており、互いに同じ大きさをもつ。
【００２８】
また、図２に示すように、吹付口４４が形成された第２面４３は、切断手段３１が延び出す第１面４２よりも、ウェブＷの搬送方向ｄ１において上流側に位置している。これにより、吹付手段３２は、切断手段３１がウェブＷを切断する位置よりも、搬送方向ｄ１における上流側にてウェブＷにエアーを吹き付けることができる。
【００２９】
また、本実施の形態では、図２に示すように、吹付手段３２から放出されるエアーの放出方向ｄａは、切断手段３１が延び出す方向ｄｂ側を向いている。すなわち、吹付口４４から放出されるエアーの放出方向ｄａと、切断手段３１が延び出す方向ｄｂとのなす角度が、０°以上９０°未満となっている。この場合、切断されたウェブＷにエアーを有効に吹き付けることに寄与する。
【００３０】
図３は、図２に示す線III−IIIに沿った切断ユニット３０の断面を示す概略断面図である。図３に示すように、本体部４１には、各吹付口４４にエアーを供給する流路４５が形成されている。また、本体部４１には、流路４５を介して各吹付口４４にエアーを供給するエアー供給管４６が接続されている。流路４５は、エアー供給管４６からエアーが供給される供給口４５ａと、供給口４５ａから流入するエアーを本体部４１内で受け入れる集合路４５ｂと、集合路４５ｂから、各々に対応する吹付口４４まで延びる複数の分岐路４５ｃと、を含んでいる。エアーを吹き付ける吹付口４４と、吹付口４４にエアーを供給するエアー供給管４６と、吹付口４４からエアー供給管４６まで延びる流路４５と、によって、吹付手段３２が構成されている。
【００３１】
本実施の形態では、各吹付口４４から放出されるエアーの流量を均等にするために、各分岐路４５ｃの大きさを他の分岐路４５ｃの大きさとは独立して調整している。これにより、吹付口４４から切断されたウェブＷに幅方向に偏り無くエアーを吹き付けることができる。
【００３２】
また、図２に示すように、本体部４１には、切断手段３１及び吹付口４４から離間した領域に、ウェブＷの幅方向ｄ２に延びる貫通孔４７が形成されている。そして、駆動ユニット５０が、本体部４１に形成された貫通孔４７に挿入された支点軸５１を有している。貫通孔４７に挿入された支点軸５１は、不図示のベアリング等を介して、切断ユニット３０の本体部３３を回動自在に支持している。とりわけ、本実施の形態の駆動ユニット５０は、交換領域Ｐ１にある巻取管２１、２２に巻き取られていくウェブＷに対して接近した切断位置Ｐ３（図７参照）と、交換領域Ｐ１にある巻取管２１、２２に巻き取られていくウェブＷに対して離間した待機位置Ｐ４と、の間で、本体部４１を回動させるようになっている。なお、図１において、切断ユニット３０の本体部４１が待機位置Ｐ４に配置された状態で示されている。
【００３３】
また、図２に示すように、支点軸５１には、当該支点軸５１を回動させる駆動要素５２が取り付けられている。駆動要素５２として、例えばそれ自体既知の電動モータを用いることができる。
【００３４】
さらに、駆動ユニット５０は、支点軸５１を支持する取付アーム５３を有している。すなわち、取付アーム５３は、支点軸５１を介して切断ユニット３０の本体部４１を支持している。また、取付アーム５３は、支点軸５１のウェブＷに対する距離を変更可能に構成されている。具体的には、取付アーム５３は、例えば不図示のエアシリンダによって、ウェブＷに対して接離する方向、すなわちウェブＷの法線方向（図１において紙面の上下方向）にスライド可能になっている。とりわけ、本実施の形態の駆動ユニット５０の取付アーム５３は、第１回動アーム１３乃至第２回動アーム１４の可動範囲から切断ユニット３０を退避させた退避位置Ｐ５と、ウェブＷを切断するべく、第１回動アーム１３乃至第２回動アーム１４の可動範囲内に切断ユニット３０を配置した接近位置Ｐ６（図６参照）と、の間で、スライド可能になっている。なお、図１において、切断ユニット３０が退避位置Ｐ５に配置された状態で示されている。
【００３５】
さらに、駆動ユニット５０の取付アーム５３には、ガイドロール５４が保持されている。このガイドロール５４は、取付アーム５３と共に切断ユニット３０が接近位置Ｐ６（図６参照）まで移動した際に、ウェブＷに接触するように配置されている。そして、ガイドロール５４は、第１サポートロール１７乃至第２サポートロール１８と協働してウェブＷを案内し、当該ウェブＷに張力を負荷するようになっている。
【００３６】
次に、以上のような構成からなる本実施の形態の作用について、主として図１並びに図４乃至図７を参照しながら説明する。図４乃至図７は、図１に示すウェブ巻取装置による巻取管入れ換え動作を説明するための図である。
【００３７】
図１に示す状態で巻取領域Ｐ２にある巻取管２１が所定量のウェブＷを巻取ると、図４に示すように、回動シャフト１２が回動し、第１回動アーム１３、第２回動アーム１４、第１サポートアーム１５並びに第２サポートアーム１６が一体として回動する。回動シャフト１２の回動中において、一方の巻取管２１に巻き取られていくウェブＷは、第１サポートアーム１５に支持された第１サポートロール１７に補助される。図５に示すように、
一対の巻取管２１、２２が、交換領域Ｐ１と巻取領域Ｐ２との間で入れ換えられると、図６に示すように、駆動ユニット５０の取付アーム５３がスライドして、切断ユニット３０が、退避位置Ｐ５から、第１回動アーム１３の可動範囲内となる接近位置Ｐ６まで移動する。取付アーム５３と共に切断ユニット３０が接近位置Ｐ６まで移動すると、取付アーム５３に保持されたガイドロール５４が搬送されるウェブＷに接触する。そして、ガイドロール５４と第１サポートロール１７とにより搬送されるウェブＷが案内され、当該ウェブＷに適度な張力が掛けられる。
【００３８】
次に、図７に示すように、切断ユニット３０の本体部４１が支点軸５１を中心として待機位置Ｐ４から切断位置Ｐ３まで回動する。これにより、張力を付与された状態のウェブＷが切断手段３１により幅方向に切断される。本実施の形態では、切断ユニット３０の本体部４１が待機位置Ｐ４から切断位置Ｐ３まで回動する間中、吹付手段３２からウェブＷにエアーが吹き付けられている。したがって、張力を付与された状態のウェブＷが切断されたときから、吹付手段３２からウェブＷにエアーが吹き付けられ続ける。このため、切断されたウェブＷの端部が張力の解放により勢いよく反発したとしても、吹き付けられるエアーによって反発の勢いが抑えられ、当該ウェブＷの端部が予め粘着テープが巻かれた巻取領域Ｐ２にある巻取管２２に安定して貼り付けられる。
【００３９】
とりわけ、本実施の形態では、切断ユニット３０の本体部４１を切断位置Ｐ３まで回動させた状態において、吹付口４４が形成された第２面４３が、巻取領域Ｐ２にある巻取管２２に対面する。このため、吹付手段３２から切断されたウェブＷに吹き付けられるエアーは、巻取領域Ｐ２にある巻取管２２に向けて放出される。
【００４０】
以上のように、本実施の形態によれば、交換領域Ｐ１にある巻取管２１、２２に巻き取られていくウェブＷを切断する切断手段３１、及び、切断手段３１によって切断されたウェブＷにエアーを吹き付ける吹付手段３２を有する切断ユニット３０と、当該切断ユニット３０を交換領域Ｐ１にある巻取管２１、２２に巻き取られていくウェブＷに対して接離させる駆動ユニット５０と、を備え、吹付手段３２は、切断手段３１によって切断されたウェブＷにエアーを吹き付け、当該切断されたウェブＷを巻取領域Ｐ２にある巻取管２２に近づけるようになっている。このような形態によれば、張力を付与された状態のウェブＷが切断されたときから、吹付手段３２からウェブＷにエアーが吹き付けられ続ける。このため、切断されたウェブＷの端部が張力の解放により勢いよく反発したとしても、吹き付けられるエアーによって反発の勢いを抑えられ、当該ウェブＷの端部を巻取領域Ｐ２にある巻取管２２に安定して貼り付けることができる。これにより、巻き取られるウェブＷにしわや折り返しが発生してしまうことを効果的に抑制することができる。さらに、ウェブＷの搬送速度を速めたとしても、従来のように巻き取られるウェブＷにしわや折り返しが発生する、ということが起こり難いことから、結果として、ウェブ巻取装置１の生産効率を高めることに寄与する。
【００４１】
また、本実施の形態では、吹付手段３２は、切断手段３１がウェブＷを切断する位置よりも、搬送方向ｄ１における上流側にてウェブＷにエアーを吹き付けるようになっている。巻取領域Ｐ２にある巻取管２２に貼り付けるべき切断されたウェブＷの端部は、搬送方向ｄ１における上流側に位置している。このため、このような形態によれば、切断されたウェブＷの端部に効果的にエアーを吹き付けることができ、当該切断されたウェブＷの端部を、巻取領域Ｐ２にある巻取管２２にさらに安定して貼り付けることができる。
【００４２】
また、本実施の形態によれば、吹付手段３２から放出されるエアーの放出方向ｄａは、切断手段３１が本体部４１から延び出す方向ｄｂ側を向いている。この場合、張力を付与された状態のウェブＷが切断されたときに、切断されたウェブＷに対向する方向から、当該ウェブＷに吹付手段３２からのエアーを吹き付けることができる。このため、切断されたウェブＷの端部に効果的にエアーを吹き付けることができ、切断されたウェブＷの端部を、巻取領域Ｐ２にある巻取管２２にさらに安定して貼り付けることができる。
【００４３】
また、本実施の形態によれば、吹付手段３２は、切断されたウェブＷに吹き付けるエアーを、巻取領域Ｐ２にある巻取管２１、２２に向けて放出するようになっている。このような形態によれば、切断されたウェブＷの端部を、巻取領域Ｐ２にある巻取管２１、２２に向かわせることができるため、当該切断されたウェブＷの端部を、巻取領域Ｐ２にある巻取管２２にさらに安定して貼り付けることができる。
【００４４】
また、本実施の形態によれば、切断ユニット３０は、切断手段３１が固定された本体部４１を有し、本体部４１には、ウェブＷにエアーを吹き付ける吹付口４４と、吹付口４４にエアーを供給する流路４５と、が形成されている。このような形態によれば、切断手段３１が固定された本体部４１に、ウェブＷにエアーを吹き付ける吹付手段３２をも形成することができるため、本体部４１とは別個にウェブＷにエアーを吹き付ける部材を設ける必要がない。このため、切断ユニット３０をコンパクト且つ簡易な機構で構成することができる。
【００４５】
また、本実施の形態によれば、本体部４１に、ウェブＷの幅方向ｄ２に並べられた複数の吹付口４４が形成されている。この場合、各吹付口４４から放出されるエアーの流量を他の吹付口４４とは別個に調整することができるため、吹付手段３２から切断されたウェブＷに幅方向に偏り無くエアーを吹き付けることができる。
【符号の説明】
【００４６】
１    ウェブ巻取装置
１２  回動シャフト
１３、１４  第１、第２回動アーム
２１、２２  巻取管
３０  切断ユニット
３１  切断手段
３２  吹付手段
４１  本体部
４４  吹付口
４５  流路
５０  駆動ユニット
５１  支点軸
５２  駆動要素
５３  取付アーム
５４  ガイドロール
ｄ１  搬送方向
ｄ２  幅方向
Ｐ１  交換領域
Ｐ２  巻取領域
Ｐ３  切断位置
Ｐ４  待機位置
Ｐ５  退避位置
Ｐ６  接近位置
Ｗ    ウェブ
【図１】
2015151226.tif 000003
【図２】
2015151226.tif 000004
【図３】
2015151226.tif 000005
【図４】
2015151226.tif 000006
【図５】
2015151226.tif 000007
【図６】
2015151226.tif 000008
【図７】
2015151226.tif 000009
【図８】
2015151226.tif 000010
【図９】
2015151226.tif 000011
【図１０】
2015151226.tif 000012